【手続補正書】
【提出日】平成25年8月2日(2013.8.2)
【手続補正１】
【補正対象書類名】特許請求の範囲
【補正対象項目名】全文
【補正方法】変更
【補正の内容】
【特許請求の範囲】
【請求項１】
長手方向軸を有する歯アセンブリであって、
上部傾斜壁及び下部傾斜壁、及び内部に形成された後方に開放するソケットを有する歯であって、前記ソケットが、前記歯によって形成され、前記ソケットの閉鎖端の方よりも前記ソケットの開放端の方が大きい第１の断面形状を有し、前記ソケットの前記第１の断面形状が、所定の距離だけ分離され且つ前記歯の長手方向中心線の両側に配置された一対の壁によって少なくとも部分的に形成され、前記歯ソケットの少なくとも一方の壁が概ね平面状の形状を有する歯と、
相対的に長手方向に移動させることによって前記歯と動作可能に組み合わされて組み立てられるように構成されたノーズ部を有するアダプタであって、前記アダプタ・ノーズ部が、前記アダプタ・ノーズ部の長手方向中心線の両側に配置された互いに向かい合う２枚の壁によって少なくとも部分的に形成される第２の断面形状を有し、前記アダプタの前記ノーズ部の前記互いに向かい合う壁同士の間の間隔が、前記歯によって形成される前記ソケットの前記互いに向かい合う壁を分離する前記所定の距離よりも短く、そのため、前記アダプタ・ノーズ部が前記歯と動作可能に組み合わされて配置されたときに、前記歯ソケット及び前記アダプタ・ノーズ部上の互いに向かい合う表面同士の間にレリーフが形成され、前記アダプタ・ノーズ部がさらに、閉鎖辺縁を有し、且つ前記歯によって保持される、自由端を有するロックを受け入れ収容する、開放端を有するくぼみを形成し、前記ロックが、前記アダプタと前記歯が互いに対して動作可能に揃えられたときに、前記歯アセンブリの前記長手方向軸に向かって突き出て、前記アダプタによって形成される前記くぼみ内に延び、それによって、前記歯と前記アダプタを互いに対して動作可能に組み合わせて取り外し可能に結合するアダプタと、
前記歯アセンブリの前記長手方向軸に概ね垂直に延びる方向に、前記歯ソケット及び前記アダプタ・ノーズ部上の前記互いに向かい合う表面同士の間に形成される前記レリーフ内に挿入可能であり、前記レリーフを少なくとも部分的に充填して前記歯を前記アダプタ・ノーズ部に対するある方向に押し、それによって、前記歯によって保持される前記ロックを強制的に前記アダプタの前記くぼみ内に固定された状態に維持し、したがって、前記ロックが前記アダプタの前記ノーズ部によって形成された前記くぼみ内に保持されているかぎり前記歯が前記アダプタ・ノーズ部に対して長手方向に並進するのを抑制する固定部材とを備える歯アセンブリ。
【請求項２】
前記ロックは、前記歯と一体に形成されたラグである、請求項１に記載の歯アセンブリ。
【請求項３】
前記ロックは、前記歯とは独立に形成される、請求項１に記載の歯アセンブリ。
【請求項４】
前記歯の一方の壁は、前記固定部材を前記歯とアダプタとの間から取り外すのを容易にするのに使用される工具を端部から通過させるボアを形成する、請求項１に記載の歯アセンブリ。
【請求項５】
前記固定部材の一部は、互いに向かい合い概ね平行な側面を有する、請求項１に記載の歯アセンブリ。
【請求項６】
前記固定部材の少なくとも１つ、及び前記歯の前記ソケットを形成する前記互いに向かい合う壁の一方上の向かい合う表面は、そこから突き出るキーを有し、前記固定部材の少なくとも１つ、及び前記歯の前記ソケットを形成する前記互いに向かい合う壁の一方上の向かい合う表面は、前記固定部材が前記歯及び前記アダプタに動作可能に組み合わされて挿入されたときに前記キーを滑り可能に収容するキー溝を形成する、請求項５に記載の歯アセンブリ。
【請求項７】
前記歯アセンブリの前記長手方向軸に概ね垂直に延びて、前記固定部材を前記歯と前記アダプタの前記ノーズ部との間の所定の位置に取り外し可能に維持し、前記歯が誤って前記アダプタ・ノーズ部に対してずれるのを抑制し、それによって、前記ロックを前記アダプタ・ノーズ部の前記くぼみ内に固定された状態に維持する二次ロックをさらに含む、請求項１に記載の歯アセンブリ。
【請求項８】
前記二次ロックは、前記ロックの自由端と前記固定部材との間に配置された弾性部材を含み、前記二次ロックは、前記弾性部材及び前記固定部材の一方によって保持される戻り止めをさらに含み、前記弾性部材及び前記固定部材の他方が、前記他方の部材上にくぼみを形成し、それによって、前記固定部材が前記歯と前記アダプタの前記ノーズ部との間に完全に挿入されたときに、前記戻り止めが前記戻り止めに嵌り、それによって、前記固定部材を前記歯と前記アダプタの前記ノーズ部との間の所定の位置に維持する、請求項７に記載の歯アセンブリ。
【請求項９】
前記二次ロックは、前記歯によって保持されるインサートを含み、前記インサートの一部が、前記固定部材と動作可能に組み合わされて配置され、且つ前記固定部材を前記歯と前記アダプタの前記ノーズ部との間の所定の位置に維持する働きをする、請求項７に記載の歯アセンブリ。
【請求項１０】
前記歯の前記上部壁に開口部が設けられ、前記開口部は、前記ソケット内へ延び、且つ前記ロックの反対側に前記ソケットを形成する前記歯上の前記壁の表面に隣接して配置され、前記固定部材の少なくとも一部を、下向きに通過させ、前記アダプタの前記ノーズ部と前記ソケットを形成する前記歯の前記壁の前記表面との間に動作可能に組み合わせて前記ノーズ部及び前記表面を接触支持させ、それによって、前記歯上の前記ロックを前記アダプタの前記くぼみ内に維持し、前記歯と前記アダプタが互いに対して長手方向に移動するのを防止する、請求項１に記載の歯アセンブリ。
【請求項１１】
地面係合機具上のアダプタに歯を取り外し可能に結合する方法であって、前記歯が、前記歯の自由端に向かって収束する上部壁及び下部壁と、内部に形成された、後方に開放するソケットとを有し、前記歯が、前記ソケット用の第１の所定の形状を形成し、前記ソケットの前記所定の形状が、前記歯上の横方向に間隔を置いて配置された一対の側面によって少なくとも部分的に形成され、前記アダプタが、前記歯によって形成される前記ソケット内に長手方向に受け入れられ収容されるようになっているノーズ部を有し、前記アダプタの前記ノーズ部が、前記歯ソケットによって形成される前記所定の形状と相補的であるが前記形状よりも小さい第２の所定の形状を有し、前記アダプタ上の前記第２の所定の形状が、前記アダプタ・ノーズ部上の横方向に間隔を置いて配置された一対の側面によって少なくとも部分的に形成され、前記アダプタ・ノーズ部と前記歯が互いに対して動作可能に組み合わされて配置されたときに、前記アダプタ・ノーズ部と前記歯ソケットとの間に空間が設けられる方法において、
前記アダプタ・ノーズ部の一方の側面と前記側面と向かい合う前記歯ソケット上の側面との間に固定部材を挿入し、それによって、前記固定部材の少なくとも一部を前記ソケット及び前記歯ソケットの前記向かい合う側面に押し付け、したがって、前記歯を前記アダプタ・ノーズ部に対して横方向にずらし、前記固定部材が前記歯と前記アダプタの前記ノーズ部との間に保持されているかぎり前記歯が前記アダプタに対して長手方向に並進するのを抑制するステップを含む方法。
【請求項１２】
前記アダプタの自由端を長手方向に並進させ、前記歯によって形成される前記ソケットに進入させるのに十分な程度に前記歯を第１の横方向に傾斜させる他のステップを含む、請求項１１に記載の、歯をアダプタに取り外し可能に結合する方法。
【請求項１３】
前記歯と前記アダプタを前記歯アセンブリによって形成される長手方向軸に沿って揃えるのに十分な程度に前記歯を第２の横方向に傾斜させる他のステップを含む、請求項１２に記載の、歯をアダプタに取り外し可能に結合する方法。
【請求項１４】
二次ロックを使用して前記固定部材を前記歯と前記アダプタとの間に取り外し可能に維持し、それによって、前記固定部材が前記歯と前記アダプタとの間に維持されているかぎり前記歯と前記アダプタを互いに対して動作可能に組み合わせて取り外し可能に結合する他のステップを含む、請求項１１に記載の、歯をアダプタに取り外し可能に結合する方法。
【請求項１５】
掘削インプラントの横断エッジから前方に延びる多数の掘削歯アセンブリ用掘削歯であって、前記掘削歯は、歯の長手方向軸に沿って互いに対して全体的に整列された、前端と後端とを有し、前記歯は、該歯の後に開口するブランド・キャビティを形成し、前記ブラインド・キャビティは、連結されるが、互いに対して鋭角で分離する、一連の内側表面によって形成される予め定められた構成を有し、
前記歯は、前記歯の長手方向軸に全体的に垂直に、及び内側に向かって、且つ前記歯の前記ブランド・キャビティを形成する前記内側表面の少なくとも１つから延びる、自由端を有するロックを更に含む、掘削歯。
【請求項１６】
前記内側表面の１つは、弧状のキー溝を形成する前記ブランド・キャビティを形成する、請求項１５に記載の掘削歯。
【請求項１７】
前記歯は、該歯の前端に収束する上部壁、及び下部壁を含み、連結されるが、分離される一連の内側表面は、頂部面、及び底部面を有する前記ブランド・キャビティを形成し、且つ、前記キャビティの前記頂部面、及び底部間に延びる一対の側面を含む、請求項１５に記載の掘削歯。
【請求項１８】
前記掘削歯の前端を横切って延びる基底突出端部と、前記歯の後方端部に開口するブランド・キャビティと、を含む掘削歯であって、前記歯の前記ブランド・キャビティは、互いに向かって、及び前記歯の前方端部に向かって収束する頂部面、及び底部面によって形成され、前記キャビティの前記頂部面は、前記歯の長手方向中心線の対向する側面に配置される２つの傾斜側面を含み、前記ブラインド・キャビティの前記頂部面の各側面は、前記歯の基底突出端部に対して、約３５度〜６５度の間の範囲の鋭角で伸び、前記ブラインド・キャビティの前記頂部面の傾斜側面は、共通端部に沿って互いに接続され、前記歯は、該歯の前記頂部面、及び下面の少なくとも１つから前記歯の長手方向軸に垂直に、且つ内側に向かって全体的に延びる、自由端を有するロックを更に含む、掘削歯。
【請求項１９】
前記ロックは、前記歯とは独立して形成される、請求項１５、又は１８に記載の掘削歯。
【請求項２０】
前記掘削歯は、前記歯の前方端部に収束する上部、及び下部の外壁を含み、前記歯の少なくとも上部の外部壁は、前記歯の長手方向の中心線の対向する側面に配置される２つの傾斜面を含む、請求項１８に記載の掘削歯。
【請求項２１】
前記掘削歯の前記上部壁は、前記歯の外側に開口し、当該くぼみを通る固定部材の通路に適する前記ブランド・キャビティに開口する、くぼみを形成する、請求項１７、又は２０に記載の掘削歯。
【請求項２２】
前記掘削歯の前記下部壁は、前記歯の外側から前記ブラインド・キャビティの内側に向かうツールの長手方向の通路に適する前記ブラインド・キャビティに開口するボアを形成する、請求項１７、又は２０に記載の掘削歯。
【手続補正２】
【補正対象書類名】明細書
【補正対象項目名】００３０
【補正方法】変更
【補正の内容】
【００３０】
【図１】本開示の原則及び教示を具体化する歯アセンブリの一形態の部分平面図である。
【図２】図１に示されている１つの歯アセンブリの拡大平面図である。
【図３】図１の線３−３に沿った断面図である。
【図４】図３の線４−４に沿った断面図である。
【図４Ａ】歯アセンブリの磨耗部とアダプタ・ノーズ部を動作可能に組み合わせて保持するロックの他の形態を示す、図４と同様の図である。
【図５】図４の線５−５に沿った断面図である。
【図６】本開示に関連して使用される固定部材の一形態の側面図である。
【図７】図７に示されている固定部材の平面図である。
【図８】図７に示されている固定部材の立面図である。
【図９】図７に示されている固定部材の他の側面図である。
【図１０】図４の線１０−１０に沿った断面図である。
【図１１】図４において破線で囲まれた領域の拡大図である。
【図１２】本発明の開示と組み合わされて使用される二次ロックの一部を示す部分断面拡大平面図である。
【図１３】図１２に示されている部分の立面図である。
【図１４】図１２に示されている部分の端面図である。
【図１５】図４において破線で囲まれた領域の拡大断面図である。
【図１６】本発明の開示と組み合わされて使用される代替二次ロックを示す、図４と同様の図である。
【図１７】本発明の開示と組み合わされて使用される代替二次ロックを示す、図３と同様の図である。
【図１８】図１６及び１７に示されている二次ロックを収容する掘削歯の好ましい構成を示す、図１０と同様の図である。
【図１９】図１６及び１７に示されている二次ロックを収容する固定部材の代替構成を示す、図６と同様の図である。
【図２０】本発明の開示と組み合わされて使用される他の代替二次ロックを示す、図４と同様の図である。
【図２１】同じく、本発明の開示と組み合わされて使用される他の代替二次ロックを示す、図４と同様の図である。
【図２２】他の代替二次ロック構成を示す図９と同様の固定部材の拡大図である。
【図２３】図２１に示されている固定部材の立面図である。
【図２４】本開示による歯アセンブリと動作可能に組み合わされた、図２１及び２２に示されている固定部材を示す拡大横断面図である。
【図２５】歯アセンブリの他の形態の拡大平面図である。
【図２６】図２５に示されている歯アセンブリの部分断面図である。
【図２７】図２５の線２７−２７に沿った断面図である。
【図２８】歯アセンブリの他の形態の斜視図である。
【図２９】図２８に示されている歯アセンブリの横断面図である。
【図３０】図２９の線３０−３０に沿った断面図である。
【図３１】固定部材の他の形態の立面図である。
【図３２】本開示の原則及び教示を具体化する歯アセンブリの代替形態の図である。
【図３３】本開示の原則及び教示を具体化する歯アセンブリの代替形態の図である。
【図３４】本開示の原則及び教示を具体化する歯アセンブリの代替形態の図である。